(57)【要約】      （修正有）【課題】複数本のパイプ柱体からなり、スムーズに上下動する高さ調整装置を提供する。【解決手段】互いに遊嵌する大きさの複数本のパイプ柱体が組み合わされてなり、内側に位置するパイプ柱体２の下端部にゴム製等の弾性材からなるパット１が取り付けてあり、該パット１は外側のパイプ柱体３に内側のパイプ柱体２を嵌挿した状態で該パット１の先端部が外側のパイプ柱体３の内壁面３ａより外側に突出する大きさに形成してあり、さらに外側のパイプ柱体３に対して内側のパイプ柱体２を上下動する際に該パット１と外側のパイプ柱体３の内壁面３ａとの摩擦力において、内側のパイプ柱体２を上方に移動する際の摩擦力より下方に移動する際の摩擦力が大きくなるように形成されており、外側のパイプ柱体３に対して内側のパイプ柱体２が所定の高さ位置で停止するように形成されていることを特徴とする高さ調整装置。【選択図】図２
0003182292.tif 000002
【実用新案登録請求の範囲】
【請求項１】
互いに遊嵌する大きさの複数本のパイプ柱体が組み合わされてなり、内側に位置するパイプ柱体の下端部にゴム製等の弾性材からなるパットが取り付けてあり、該パットは外側のパイプ柱体に内側のパイプ柱体を嵌挿した状態で該パットの先端部が外側のパイプ柱体の内壁面より外側に突出する大きさに形成してあり、さらに外側のパイプ柱体に対して内側のパイプ柱体を上下動する際に該パットと外側のパイプ柱体の内壁面との摩擦力において、内側のパイプ柱体を上方に移動する際の摩擦力より下方に移動する際の摩擦力が大きくなるように形成されており、外側のパイプ柱体に対して内側のパイプ柱体が所定の高さ位置で停止するように形成されていることを特徴とする高さ調整装置。
【請求項２】
パイプ柱体が正方形あるいは長方形であり、内側に位置するパイプ柱体の下端部にとりつけているパットは、該パットの先端部が外側に位置するパイプ柱体の対向する２辺あるいは４辺の内壁面より外側に突出する大きさに形成されていることを特徴とする請求項１記載の高さ調整装置。
【請求項３】
外側に位置するパイプ柱体の上部内壁面周囲に緩衝ガイド部材をとりつけていることを特徴とする請求項１または請求項２記載の高さ調整装置。
【請求項４】
請求項１から３のいずれか１項に記載の高さ調整装置であって、最内側に位置するパイプ柱体の上部には支持部材を介して放尿受皿がとりつけられており、該高さ調整装置が洋式便器の一側に取り付けられた状態で上記放尿受皿が男性器の放尿口から洋式便器内に移動可能に構成されていることを特徴とする高さ調整装置。
【考案の詳細な説明】
【技術分野】
【０００１】本考案はパイプ柱体を組み合わせてなる高さ調整装置に関する。
【背景技術】
【０００２】従来互いに遊嵌する大きさの複数本のパイプ柱体が組み合わされており、外側のパイプ柱体に対して内側のパイプ柱体が上下動して高さが調整できるパイプ柱体の高さ調整装置は公知である。例示すれば特許文献１、特許公開２０１２−１７６２３４である。
【考案の概要】
【考案が解決しようとする課題】
【０００３】上記公知の高さ調整装置にあってはことに図６から図１１に示す構造にあっては、パイプ柱体に加工を施しており、複雑な構造であること、又部材点数が多いために製作に時間を要すること、部材費用が高くなることなどによってコストアップになるなどの問題点がある。あるいはパイプ柱体の上下作動時にややもすれば作動音が出ることなどの問題点があること。さらには高さ調整位置が無段階にできないことなどの問題点がある。
【課題を解決するための手段】
【０００４】本考案はつぎの特徴を備えている。
その一は「互いに遊嵌する大きさの複数本のパイプ柱体が組み合わされてなり、内側に位置するパイプ柱体の下端部にゴム製等の弾性材からなるパットが取り付けてあり、該パットは外側のパイプ柱体に内側のパイプ柱体を嵌挿した状態で該パットの先端部が外側のパイプ柱体の内壁面より外側に突出する大きさに形成してあり、さらに外側のパイプ柱体に対して内側のパイプ柱体を上下動する際に該パットと外側のパイプ柱体の内壁面との摩擦力において、内側のパイプ柱体を上方に移動する際の摩擦力より下方に移動する際の摩擦力が大きくなるように形成されており、外側のパイプ柱体に対して内側のパイプ柱体が所定の高さ位置で停止するように形成されていることを特徴とする高さ調整装置」である。【０００５】その二は上記構成において「パイプ柱体が正方形あるいは長方形であり、内側に位置するパイプ柱体の下端部にとりつけているパットは、該パットの先端部が外側に位置するパイプ柱体の対向する２辺あるいは４辺の内壁面より外側に突出する大きさに形成されていることを特徴とする高さ調整装置」である。【０００６】その三は上記その一またはその二の構成において「外側に位置するパイプ柱体の上部内壁面周囲に緩衝ガイド部材をとりつけていることを特徴とする高さ調整装置」である。【０００７】その四は上記その一からその三のいずれかの構成において「最内側に位置するパイプ柱体の上部には支持部材を介して放尿受皿がとりつけられており、該高さ調整装置が洋式便器の一側に取り付けられた状態で上記放尿受皿が男性器の放尿口から洋式便器内に移動可能に構成されていることを特徴とする高さ調整装置」である。
【考案の効果】
【０００８】本考案においては次のような作用効果を有する。
内側に位置するパイプ柱体の下端部にゴム製等の弾性材からなるパットを取り付けているので、部材点数が少なく、また製作が簡単であり、部材費も安く、制作費がコストダウンできる。【０００９】パットはパイプ柱体を上方に移動する際の摩擦力が小さく、停止状態あるいは下方に移動する際の摩擦力大きくなるように形成しているので、内側のパイプ柱体の上方への移動は軽くスムーズであり、所定の高さ位置で停止できる。さらに又下方への移動は多少の負荷を掛ければ容易に移動し所定位置で停止できる。さらに又移動の際のパットとパイプ柱体の内壁面との接触音も発生しない。さらに加えてパイプ柱体の上下動は無段階であるので所定位置での停止が確実である。【００１０】外側に位置するパイプ柱体の上部内壁面の周囲に緩衝ガイド部材をとりつけることにより、内側のパイプ柱体の上下移動の際のガイドとなり、パイプ柱体同士のきわめて僅かな接触もなく上下移動できる。【００１１】最内側に位置するパイプ柱体の上部に支持部材を介して放尿受皿を取り付け、該放尿受皿が男性の放尿口から洋式便器内に上下移動できるように形成し洋式便器の一側に取り付けることにより放尿飛散防止装置として有益である。
【図面の簡単な説明】
【００１２】
【図１】本考案高さ調整装置のパットの実施例を示し、Ａは平面図、Ｂは正面図、ＣはＡのＸ−Ｘ断面図
【図２】図１に示すパットを取り付けた内側のパイプ柱体を外側のパイプ柱体に嵌挿している際のパットと外側のパイプ柱体の内壁面との接触状態を示し、Ａは嵌挿前の平面状態の説明図、Ｂは上方に移動している際の断面説明図、Ｃは停止ならびに下方に移動している際の断面説明図
【図３】本考案高さ調整装置の３本のパイプ柱体を組み合わせている状態を示し、Ａは上方に伸ばしている状態の断面説明図、Ｂはパイプ柱体を下方に移動している状態の断面説明図
【図４】パットの別の実施例でＡは平面図、ＢはＡのＸ−Ｘ断面図、Ｃ、Ｄはさらに別の平面図
【図５】図４Ａ、Ｂに示すパットを取り付けた内側のパイプ柱体を外側のパイプ柱体に嵌挿する状態を示し、Ａは嵌挿前の状態の断面説明図、Ｂは上方に移動している際の断面説明図、Ｃは停止並びに下方へ移動している際の断面説明図
【図６】本考案高さ調整装置の別の実施例を示す略斜視図
【図７】図６に示す高さ調整装置の使用態様を示す略斜視図
【図８】同じく使用態様を示す略側面部図
【考案を実施するための形態】
【００１３】本考案について実施例を図面を用いて説明する。
図１から図４において、１はゴム製等の弾性材からなるパットである。パットを停止部材と称するもよい。該パットは略ハット型に形成している。言わば中央部を高くして取付部１ａとして形成し、該取付部から外周部下方に傾斜状に延設して、ひさし部１ｂを形成している。１ｃはビス孔等止具の止着孔である。
１ｄは別の実施例でひさし部１ｂの外周囲に所定間隔で複数個形成している切欠部である。
【００１４】図２は互いに遊嵌する大きさの複数本（図示では２本）の正方形のパイプ柱体が組み合わされており、内側に位置するパイプ柱体２の下端部に上記パット１がとりつけられている。
パイプ柱体に形成している支持板２ａにパットの取付部１ａを支持してビス２ｂによりとりつけている。
該パットは外側のパイプ柱体３に内側のパイプ柱体２を嵌挿した状態で該パットの先端部が外側のパイプ柱体３の内壁面３ａより外側に突出する大きさに形成している。図面では４辺の内壁面において外側に突出する大きさに形成している。平面図において１ｅが突出している箇所であり、その大きさは外側のパイプ柱体の板厚程度である。
尚パットは外側のパイプ柱体に内側のパイプ柱体を嵌挿した状態で外側パイプ柱体の１辺あるいは対向する２辺の内壁面より外側に突出する大きさに形成してもよい。要はパットは外側のパイプ柱体に対して内側のパイプ柱体を上下移動する際に該パットと外側のパイプ柱体の内壁面との摩擦力において、内側のパイプ柱体を上方に移動する際の摩擦力より、下方に移動する際の摩擦力が大きくなるように形成されており、外側のパイプ柱体に対して内側のパイプ柱体が所定の高さ位置で停止するように形成されている。
【００１５】図示のパット形状や取付状態から明らかなように、図２のＢにおいては内側のパイプ柱体を上方、矢印方向に移動するとパットの先端部が内方下方に、つまり縮まる方向に、矢印方向に弾性変形して外側のパイプ柱体の内壁面に接触するので摩擦力が小さく軽くスムーズに移動する。
【００１６】停止状態では図２Ｃに示すようにパットには内側のパイプ柱体の負荷（荷重）がかかりパット先端部には外方に、つまり拡がる方向に、矢印方向に弾性変形して外側のパイプ柱体の内壁面に接触するので摩擦力が大きくなり所定の高さ位置で停止する。
さらに下方、矢印方向への移動は、パットは停止状態の摩擦力を保持しているので押動すれば所定の位置に移動できる。
【００１７】図３Ａ、Ｂは３本のパイプ柱体を組み合わせて上方に伸ばしている状態、および下方に移動している状態の断面説明図である。図２に示すパイプ柱体に、さらに内側にパイプ柱体４をとりつけている。３ｂは外側に位置するパイプ柱体の上部内壁面周囲にとりつけている緩衝ガイド部材である。２Ｃは同じく中間に位置するパイプ柱体の上部内壁面周囲にとりつけている緩衝ガイド部材である。必ずしも形成しなくてもよいが、これの存在により内側のパイプ柱体を上下動する際のパイプ柱体の壁面同士の接触が回避できる。尚不図示であるがパイプ柱体の上方への移動ならびに下方への移動を制限するストッパーを形成することは公知であり、適宜採用すればよい。
【００１８】図４はパットの別の実施例を示す。パット５はゴム製、合成樹脂製等の弾性材からなり、板状に形成している。５ａはビスなど止具挿通孔である。
図５は図４のパットを内側のパイプ柱体の下部に取り付け、外側のパイプ柱体に嵌挿する状態を示し、Ａは嵌挿前の状態を示している。図示より理解できるようにパットの先端部５ｂが外側のパイプ柱体の内壁面３ａより外側に突出する大きさに形成している。図示のように略外側のパイプ柱体の外壁面間の長さを有している。
Ｂは内側のパイプ柱体を外側のパイプ柱体に嵌挿して上方に、矢印方向に移動している状態を示す。図２のＢに示す作動状態と略同様の作動状態である。いわばパットの先端部が内方に、つまり縮まる方向に、矢印方向に弾性変形して外側のパイプ柱体の内壁面に接触するので摩擦力が小さくスムーズに移動できる。
【００１９】しかして停止した状態では図５Ｃに示すようにパットには内側のパイプ柱体の負荷（荷重）が掛かり、パット先端部には外方に、つまり拡がる方向に、矢印方向に弾性変形して外側パイプ柱体の内壁面に接触するので摩擦力が大きくなり所定の高さ位置で停止する。さらに下方、矢印方向への移動はパットは停止状態の摩擦力を保持しているので押動すれば所定位置に移動できる。
【００２０】図６から図８はさらに別の実施例を示す。この実施例は最内側に位置するパイプ柱体の上部には支持部材を介して放尿受皿がとりつけられている。該高さ調整装置が洋式便器の一側に取り付けられた状態で、上記放尿受皿が使用時には男性の放尿口に移動し、不使用時には洋式便器内に移動する構成である。
図６において、６、７、８は３本のパイプ柱体である。最内側のパイプ柱体８の上部には支持部材９を介して放尿受皿１０がとりつけられている。１１は操作つまみであり、該つまみを把手してパイプ柱体を上下動すれば放尿受皿１０が上下動する。９ａは長孔で放尿受皿の巾方向の取り付け位置が調整できる。６ａは床への取付板である。
【００２１】図７は上記高さ調整装置が洋式便器１２の一側に取り付けてあり、放尿受皿１０が便器内に移動している。図８は放尿受皿の使用時を示す。放尿受皿が男性１３の放尿口１３ａに移動している状態を示す。
【００２２】以上本考案の実施例について説明しているが本考案の技術思想を逸脱しない範囲の設計変更は可能である。例示すればパイプ柱体の形状は三角形、円形等でも良い。パットの形状もパイプ柱体の形状に対応すればよい。
【符号の説明】
【００２３】１      パット                              ５      パット
１ａ    取付部                              ５ｂ    パットの先端部
１ｂ    ひさし部                            ６      パイプ柱体
１ｃ    止着孔                              ７      パイプ柱体
１ｄ    切欠部                              ８      パイプ柱体
１ｅ    突出している箇所                    ９      支持部材
２      パイプ柱体                          １０    放尿受皿
２ａ    支持板                              １１    つまみ
２ｂ    ビス
３      パイプ柱体
３ａ    内壁面
３ｂ    緩衝ガイド部材
４      パイプ柱体
【図１】
0003182292.tif 000003
【図２】
0003182292.tif 000004
【図３】
0003182292.tif 000005
【図４】
0003182292.tif 000006
【図５】
0003182292.tif 000007
【図６】
0003182292.tif 000008
【図７】
0003182292.tif 000009
【図８】
0003182292.tif 000010